(57)【要約】【課題】既存のお風呂場に追加設置が容易であり、すぐに洗い場を暖めることが出来る洗い場を暖める簡易装置を提供する。【解決手段】湯船１１の湯を吸い上げるポンプ１から吐出される湯を導くホース１５先端に、長手方向に複数のノズルが開口するパイプ１９が設けられる。ポンプ１に家庭用の電源を供給する電源コード２５に設けられた電源スイッチ２７は、脱衣場など取り付ける。パイプ１９は、フレキシブルな蛇腹ホース１７を有し、ある程度の長さ調節ができるようになる。【選択図】図１
2004267527.tif 000002
【特許請求の範囲】
【請求項１】
湯船の湯を吸い上げるポンプと、このポンプから吐出される湯を導くホースと、このホースの先端に設けられ長手方向に複数のノズルが開口するパイプと、前記ポンプに接続されたコードに設けられたスイッチと、を有してなることを特徴とする洗い場を暖める簡易装置。
【請求項２】
前記ポンプに、第二スイッチが設けられたことを特徴とする請求項１に記載の洗い場を暖める簡易装置。
【請求項３】
前記ホースは、フレキシブルな蛇腹ホースを有することを特徴とする請求項１に記載の洗い場を暖める簡易装置。
【発明の詳細な説明】
【０００１】
【発明の属する技術分野】
この発明は、お風呂の洗い場を暖める簡易装置の構造に関する。
【０００２】
【従来の技術】
お風呂場の洗い場は、特に冬季に、冷たく素足で入るとヒヤッとして不快である。湯船のお湯を手桶に汲んで流すことで、洗い場を暖めるのが一般的であるが、この場合にも湯船に近づくためには、洗い場を通らなくてはならず、体の調子が悪いときなどは、苦痛であった。
【０００３】
この洗い場を暖めるために、給湯機のお湯を自動的に洗い場に流すものは既に提案されている（特開平９−７９５９６、特開平８−１４５３９０）。この技術は、構造的には、給湯機と一体に組み込まれたものである。
【０００４】
【発明が解決しようとする課題】
しかしながら、従来技術の給湯機と一体の装置は、
（１）既に設置された給湯機がある場合に、後から追加して設置することは難しいものであった。
（２）また、装置を働かせて、給湯機が働き実際にお湯が出るのは、かなりのタイムラグがあり、すぐには洗い場が暖まらなかった。
この発明は、以上の課題を解決するためになされたもので、既存のお風呂場に追加設置が容易であり、すぐに洗い場を暖めることが出来る洗い場を暖める簡易装置を提供することを目的とする。
【０００５】
【課題を解決するための手段】
以上の課題を解決するために、第１の発明は、湯船の湯を吸い上げるポンプと、このポンプから吐出される湯を導くホースと、このホースの先端に設けられ長手方向に複数のノズルが開口するパイプと、前記ポンプに接続されたコードに設けられたスイッチと、を有してなることを特徴とする洗い場を暖める簡易装置である。
【０００６】
第２の発明は、前記ポンプに、第２スイッチが設けられたことを特徴とする洗い場を暖める簡易装置である。
第３の発明は、前記ホースは、フレキシブルな蛇腹ホースを有することを特徴とする洗い場を暖める簡易装置である。
【０００７】
【発明の実施の形態】
この発明の実施の形態を、図１から図３に示す。
ポンプ１は、本体３から下方へ伸びる筒体５の下端に、湯船の湯を吸い上げる吸入口７が設けられる。この筒体５の上方にはフック９が設けられ、筒体５とフック９の間で湯船１１の縁１３を挟んで、装置を安定させる。
図示しない吐出口には、吐出される湯を導くホース１５が接続される。このホース１５の途中には、フレキシブルな蛇腹ホース１７を有する。ホース１５の先端には、お湯を散布するためのパイプ１９が設けられる。このパイプ１９には、長手方向に複数のノズルが開口する。ノズルは、単にパイプ１９に開けられた開口ノズル２１と、そのような開口に接続された細筒状ノズル２３とが、設けられる。細筒状ノズル２３は、筒の向きが遠くへ向き、遠くへお湯を散布できる。
【０００８】
ポンプ１には家庭用の電源を供給する電源コード２５を接続させる。この電源コード２５の途中には電源スイッチ２７が設けられ、通常は脱衣場に取り付けられる。
また、ポンプ１の本体３には、第二電源スイッチ２９が設けられ、洗い場が十分にあったまった後に電源を切りことができる。
【０００９】
（実施形態の作用効果）
使用者がお風呂に入る場合には、脱衣場で脱衣を行うときに、この装置の電源スイッチ２７を入れる。するとポンプ１は、既に暖まっている湯船１１の湯を吸い上げ、ノズルから散布する。長いパイプ１９の長手方向にたくさんのノズルがあり、開口ノズル２１により近くへの散布がなされ、細筒状ノズル２３により遠くへの散布がなされる。  脱衣が済む頃には、洗い場は十分に暖まっている。暖まっているのを確認しながら、使用者は素足で湯船１１に近づき、ポンプ１の本体３の第２電源スイッチ２９を切る。
【００１０】
この実施形態によれば、筒体５とフック９の間で湯船１１の縁１３を挟んで装置を安定させて取り付けるので、装置は取り外し自由である。また、湯船１１の湯をポンプ１で吸い上げて使用するので、給湯機に関係なく設置でき、追加設置が容易である。
【００１１】
また、湯船１１の既に暖まっている湯を使用することになるので、従来のように給湯機によってお湯が沸くのを待つ必要が無く、すぐに洗い場を暖めることができる。
【００１２】
（他の実施形態）
以上の実施形態では、ポンプには家庭用の電源を供給する電源コード２５が接続されるものであったが、他の実施形態では、乾電池などのバッテリーを電源に用いることが可能である。これにより風呂場のドアの内側に全てこの装置を配置することができ、電源コードがこのドアに挟まれて、ドアに隙間ができるということを防止できる。
この場合に、ポンプにはスイッチコードが接続され、このスイッチコードにスイッチを設けることができる。よって、スイッチを湯船から離れたドアの内側に配置することができる。このため、前記実施形態と同様に、使用者は洗い場に降りずにスイッチを入れることができる。
【００１３】
【発明の効果】
以上説明したように、第１の発明によれば、湯船の湯をポンプで吸い上げて使用するので、給湯機に関係なく設置でき、追加設置が容易である。また、湯船の既に暖まっている湯を使用するので、従来のように給湯機によってお湯が沸くのを待つ必要が無く、すぐに洗い場を暖めることができる。
【００１４】
第２の発明によれば、使用が湯船からスイッチのある脱衣場などに戻らなくても、湯船の中から第２スイッチを切ることができ、便利である。
第３の発明によれば、蛇腹ホースによりホースの長さを調整でき、洗い場と脱衣場の距離の大小があっても、ホースを切断などしなくても直ぐに対応できる。
【図面の簡単な説明】
【図１】このの発明の一実施形態に係る装置の使用状態を示す斜視図である。
【図２】図１のノズル付きのパイプの一部を示す拡大斜視図である。
【図３】図１の蛇腹ホースの一部を示す拡大斜視図である。
【符号の説明】
１…ポンプ、
３…本体、
５…筒体、
７…吸入口、
９…フック、
１１…湯船、
１３…縁、
１５…ホース、
１７…蛇腹ホース、
１９…パイプ、
２１…開口ノズル、
２３…細筒状ノズル、
２５…電源コード、
２７…電源スイッチ、
２９…２電源スイッチ。
【図１】
2004267527.tif 000003
【図２】
2004267527.tif 000004
【図３】
2004267527.tif 000005